(57)【要約】【課題】ＰｏＣサービスの如き音声のグループ伝送システムを利用して、より高度なグループ間でのデータ配信が行えるようにする。【解決手段】２台以上の複数台の無線電話端末装置１００ａ〜１００ｄを、無線電話回線を介して同時に所定のサーバ１２と接続させた状態で、複数台の無線電話端末装置の中の発言権を持った1台の無線電話端末装置からサーバに送信される音声データを、他の無線電話端末装置に対してほぼリアルタイムに送信することを可能とした上で、発言権を持った1台の無線電話端末装置から、音声データの代わりに、当該端末装置に蓄積された音楽データをサーバに送信させ、そのサーバに送信された音楽データを、他の無線電話端末装置に対してほぼリアルタイムに送信するようにした。【選択図】図１
2007134989.tif 000002
【特許請求の範囲】
【請求項１】
無線電話回線を介して接続された所定のサーバと通信を行うことで、前記所定のサーバと接続された1台又は複数台の他の端末装置に対して、ほぼリアルタイムで音声データを送ることが可能な無線電話端末装置において、
音声データの送信を指示する操作部と、
音楽データを蓄積する音楽データ蓄積部と、
前記操作部の第1の操作がある毎に、マイクロフォンが拾って得た音声データを、前記無線電話回線で接続された前記サーバに送信させ、前記操作部での第２の操作がある場合に、前記音声データの代わりに、前記音声データ蓄積部に蓄積された音楽データを、前記送信処理部から前記サーバに送信させる送信処理部とを備えることを特徴とする
無線電話端末装置。
【請求項２】
請求項１記載の無線電話端末装置において、
前記第1の操作がある毎に前記送信処理部により送信される音声データは、第1の時間以内の音声データに制限され、
前記第２の操作がある場合に送信される音楽データは、前記第1の時間と同じ時間以内か、又はそれよりも長い第２の時間以内の音楽データであることを特徴とする
無線電話端末装置。
【請求項３】
請求項１記載の無線電話端末装置において、
前記操作部での第１又は第２の操作は、接続された前記サーバから発言権が与えられた状態での操作時に有効とされることを特徴とする
無線電話端末装置。
【請求項４】
請求項１記載の無線電話端末装置において、
前記第２の操作は、前記第１の操作により発言権を確保した上で、送信するデータを音楽データとする操作であることを特徴とする
無線電話端末装置。
【請求項５】
２台以上の複数台の無線電話端末装置を、無線電話回線を介して同時に所定のサーバと接続させた状態で、前記複数台の無線電話端末装置の中の発言権を持った1台の無線電話端末装置から前記サーバに送信される音声データを、他の無線電話端末装置に対してほぼリアルタイムに送信することが可能なデータ配信方法において、
前記発言権を持った1台の無線電話端末装置から、音声データの代わりに、当該端末装置に蓄積された音楽データを前記サーバに送信させ、
前記サーバに送信された音楽データを、前記他の無線電話端末装置に対してほぼリアルタイムに送信することを特徴とする
データ配信方法。
【請求項６】
請求項５記載のデータ配信方法において、
１回の発言権が与えられた状態で1台の無線電話端末装置から送信可能な音声データは、第1の時間以内の音声データに制限し、
音声データの代わりに送信させる音楽データについても、前記第1の時間と同じ時間以内か、又はそれよりも長い第２の時間以内の音楽データに制限したことを特徴とする
データ配信方法。
【発明の詳細な説明】
【技術分野】
【０００１】
本発明は、例えばＰｏＣ(Push-to-Talk over Cellular)と称されるサービスを利用する携帯電話端末装置に適用して好適な無線電話端末装置及びその端末装置を利用したデータ配信方法に関する。
【背景技術】
【０００２】
無線電話端末装置を利用して行うサービスの１つとして、ＰｏＣと称されるものがある。このサービスは、無線電話端末装置をトランシーバのように利用する技術であり、１対Ｎのグループ通信を可能にするものである。
【０００３】
ＰｏＣの実現方式はいくつかあるが、基本的な仕組みは同じであり、セッション管理機能やフロア制御機能を備えるＰｏＣサーバと、グループ・リストを管理するＧＬＭＳ(Group and List Management Server)とを備える。そして、このサービスを行いたい端末装置が、無線電話回線を介してこれらのサーバと接続させて、サーバ側から発言権を得た端末装置が音声データをサーバに送る。サーバでは、送られた音声データを、接続された他の端末装置に対してほぼリアルタイムで配信する処理が行われる。なお、以下の説明でＰｏＣサーバと述べた場合には、ＧＬＭＳなどのＰｏＣのサービスの運用に必要な全ての機能を備えているものとし、これらのサーバを特に区別しないで説明する。
【０００４】
ＰｏＣサービスでは、１回の端末装置の操作で発言権を得た場合に、その発言権を得た端末装置から音声データを送信できる時間が、３０秒などのシステムで決められた所定時間に制限されており、その発言権を得た端末装置からの音声データの送信が終了するか、或いは３０秒が経過することで、どの端末装置も発言権を取得できるフリーな状態になる。フリーな状態になると、最も早く発言権を取得する操作（プッシュ操作）があった端末装置に対して、新たな発言権が与えられる。なお、ここまでの説明で判るように、ＰｏＣサービスの場合には、トランシーバのような片方向の音声伝送をグループ内で交互に行うものであり、双方向通話ができるものではない。
【０００５】
特許文献１には、ＰｏＣサービスの概要についての記載がある。
【特許文献１】特開２００５−２３４６６６号公報
【発明の開示】
【発明が解決しようとする課題】
【０００６】
上述したＰｏＣサービスを利用することで、サーバに同時に接続された複数台の端末装置の間で、交互に音声を伝送することができ、グループ内で会話を行う場合などに便利である。音声データの伝送については、サーバを介して交互に音声データパケットを送信するだけであり、いわゆる多者間で同時通話を行うような場合に比べて、伝送されるデータ量が少なく、通信資源を有効活用でき、また、このように通信資源を有効活用できる点から、通信料金（通話料金）についても、通常の音声通話よりも比較的廉価にサービスを行えるメリットを有する。
【０００７】
しかしながら、従来から提案されているＰｏＣサービスは、音声データの伝送だけのサービスであり、ＰｏＣサービスを利用して、より高度なサービスを行えるようにすることが要請されていた。
【０００８】
本発明はかかる点に鑑みてなされたものであり、ＰｏＣサービスの如き音声のグループ伝送システムを利用して、より高度なグループ間でのデータ配信が行えるようにすることを目的とする。
【課題を解決するための手段】
【０００９】
本発明は、２台以上の複数台の無線電話端末装置を、無線電話回線を介して同時に所定のサーバと接続させた状態で、複数台の無線電話端末装置の中の発言権を持った1台の無線電話端末装置からサーバに送信される音声データを、他の無線電話端末装置に対してほぼリアルタイムに送信することを可能とした上で、発言権を持った1台の無線電話端末装置から、音声データの代わりに、当該端末装置に蓄積された音楽データをサーバに送信させ、そのサーバに送信された音楽データを、他の無線電話端末装置に対してほぼリアルタイムに送信するようにしたものである。
【００１０】
このようにしたことで、音声のグループ配信機能を利用して、一台の無線電話端末装置に蓄積された音楽データを、接続されたグループ間の全ての無線電話端末装置にほぼ同時に配信できるようになる。
【発明の効果】
【００１１】
本発明によると、一台の無線電話端末装置に蓄積された音楽データを、接続されたグループ間の全ての無線電話端末装置にほぼ同時に配信できるようになり、例えばグループ内の一人が所持する無線電話端末装置に蓄積された音楽データの中の推薦曲を、グループ内の他のメンバーの端末装置に配信して試聴させることが可能になり、グループ内で音楽の推薦などが簡単に行える。
【発明を実施するための最良の形態】
【００１２】
以下、本発明の一実施の形態を、図１〜図４を参照して説明する。本例においては、携帯電話端末として構成された無線電話端末装置を利用したシステム構成としてある。図１は、システム全体の構成例を示した図である。図１に従って本例のシステム構成について説明すると、ここでは、複数台の携帯電話端末装置１００ａ，１００ｂ，１００ｃ，１００ｄを、無線電話ネットワーク１１に無線通信で接続させた状態を示してある。無線電話ネットワーク１１は、携帯電話端末装置と無線通信を行う基地局と、その基地局を接続する通信ネットワークなどで構成される。本例の無線電話ネットワーク１１には、ＰｏＣ(Push-to-Talk over Cellular)サーバ１２が接続してあり、ＰｏＣサービスを行う端末装置が、このサーバにアクセスする。以下の説明では、この図１に示した４台の携帯電話端末装置１００ａ〜１００ｄを、ＰｏＣサービスを実行する１つのグループとして示してある。なお、ＰｏＣサービスを実行する１つのグループは、最低２台の携帯電話端末装置があれば構成でき、１グループの最大の台数は、システムで規定される。
【００１３】
それぞれの携帯電話端末装置１００ａ〜１００ｄは、音声通話を行う端末装置として構成してあり、その具体的構成については後述するが、操作部が備える操作手段の１つとして、ＰｏＣ通信用のプッシュボタン１０６ａが用意してある。
【００１４】
ＰｏＣサービスを実行する際には、例えば１台の携帯電話端末装置１００ａでＰｏＣサーバ１２にアクセスしてデータ転送可能に接続した状態とし、さらにその携帯電話端末装置１００ａからの呼び出しなどに応じた携帯電話端末装置１００ｂ，１００ｃ，１００ｄについてもＰｏＣサーバ１２に接続させて、データ転送可能な状態とする。そのようにして、ＰｏＣサーバ１２に接続された携帯電話端末装置１００ａ〜１００ｄでグループを作り、例えば発言権がフリーの状態でプッシュボタン１０６ａが最初に押された端末装置が発言権を確保し、そのプッシュボタン１０６ａが押され続けている間、その端末装置のマイクロフォンが拾った音声のデータを、所定のパケットデータとしてＰｏＣサーバ１２に送る。
【００１５】
ＰｏＣサーバ１２では、受信したパケットデータを、グループ内の他の携帯電話端末装置１００ｂ〜１００ｄに直ちに配信し、そのパケットデータを受信した携帯電話端末装置１００ｂ〜１００ｄで、受信と同時にパケットデータに含まれる音声データを復調して出力（再生）させる処理を行う。このように処理が行われることで、携帯電話端末装置１００ａで送信した音声データが、ほぼリアルタイムでグループ内の他の携帯電話端末装置１００ｂ〜１００ｄから出力されることになり、音声のグループ内への同時配信が行える。
【００１６】
１台の携帯電話端末装置で、プッシュボタン１０６ａが押された状態から元に戻されると、その携帯電話端末装置が持っている発言権がなくなり、グループ内で発言権がフリーの状態となり、グループ内のいずれの携帯電話端末装置も発言権を取得できる状態となる。また、１回の発言権を確保して音声を送れる最大の時間は、決められた一定時間に制限されている。例えば、３０秒に制限されて、その３０秒が経過すると、プッシュボタン１０６ａが押されつづけた状態であっても発言権がなくなり、グループ内で発言権がフリーの状態となる。
【００１７】
ここまでは、ＰｏＣサービスを実行する上で既に従来から知られている処理及び構成を記載したものである。そして、本例においては、このＰｏＣサービスを利用して、音声だけでなく、音楽データのグループへの同時配信を可能としたものである。音楽データの配信に必要な具体的な処理については後述する。
【００１８】
次に、本例のシステムで使用される携帯電話端末装置の構成を、図２を参照して説明する。図２に示した携帯電話端末装置１００は、図１に示した携帯電話端末装置１００ａ〜１００ｄに共通の構成である。基地局と無線通信を行うアンテナ１０１は、通信回路１０２に接続してある。通信回路１０２は、受信した信号の復調、送信する信号の変調などの受信処理及び送信処理を行う通信処理手段である。受信して得たデータパケット中の音声データについては、アナログ音声信号としてスピーカ１０４に供給して、出力させる。また、マイクロフォン１０３が拾って得た音声信号を、通信回路１０２に供給して、伝送用の音声データとし、その音声データを送信データパケット化して、基地局側に送信させる。通信回路１０２と各部とのデータ伝送は、データライン１６０を使用して行われる。
【００１９】
また、通信回路１０２は、制御ライン１５０を介して制御部１２０とデータ転送を行う構成としてあり、制御部１２０からの指示に基づいて受信や送信が行われる。また、音声データ以外の受信データは、制御部１２０に送るようにしてあり、必要によりメモリ１０５に記憶される。送信する必要のあるデータについても、制御部１２０又はメモリ１０５から、通信回路１０２に送られ、送信処理される。後述する音楽データを送信する際にも、メモリ１０５（又は後述する外部記憶装置１２２）に蓄積された音楽データが、通信回路１０２に送られて無線送信される。
【００２０】
また、この携帯電話端末装置１００に配置された操作キーなどの操作手段で構成される操作部１０６の操作データが、制御部１２０に供給され、液晶表示パネルなどの表示手段で構成される表示部１０７での表示についても、制御部１２０の制御で実行される。操作部１０６として配置された操作手段には、図１に示したプッシュボタン１０６ａも含まれる。
【００２１】
そして本例の携帯電話端末装置１００は、音楽データを蓄積して再生する音楽再生装置としての機能についても備える。この音楽再生装置として機能させるために、音楽データ制御部１２３を備え、その音楽データ制御部１２３の制御で、内蔵されたメモリ１０５又は外部装置接続部１２１に接続された外部記憶装置１２２に記憶された音楽データを、アナログ音声信号として音楽用スピーカ１２４から出力させることができる構成としてある。外部記憶装置１２２としては、例えばメモリカードなどの記憶（記録）手段が使用される。
【００２２】
メモリ１０５又は外部記憶装置１２２への音楽データの記憶としては、例えば通信回路１０２を使用した無線通信で音楽データの配信を行っているサーバにアクセスして、そのサーバからダウンロードした音楽データなどが想定される。
【００２３】
また、図２に示した構成では、携帯電話端末装置１００にリモートコントロール装置２００を接続して、そのリモートコントロール装置２００で音楽再生の制御が行えると共に、音楽の出力などについても行える構成としてある。即ち図２に示すように、リモートコントローラ接続端子１３０に、リモートコントロール装置２００の接続端子２０１を接続する構成としてあり、リモートコントローラ制御部２０４からの制御で、端末装置１００側での音楽再生などの制御が行える。リモートコントロール装置２００は、外部操作部２０５を備え、その操作部２０５の操作に基づいた操作が行われる。さらにリモートコントロール装置２００は、外部マイクロフォン２０２と外部イヤホン２０３とを備えて、このリモートコントロール装置２００で音楽再生が行えると共に、通話用の音声の入出力についても行えるようにしてある。なお、携帯電話端末装置１００とリモートコントロール装置２００との間でのデータ転送については、例えばBluetooth（商標）などの無線伝送を適用してもよい。また、図２に示した外部記憶装置１２２を、リモートコントロール装置２００が備える構成としてもよい。
【００２４】
なお、本例の携帯電話端末装置１００は、ＰｏＣ通信を行って、図１に示したプッシュボタン１０６ａが押されて発言権が確保された状態で、操作部１０６を構成する所定のキー操作があると、音声データの送出をせずに、音楽データ制御部１２３の制御で、メモリ１０５又は外部記憶装置１２２に記憶された音楽データを、接続されたサーバ側に伝送する処理を行う構成としてある。この音楽データの送信時には、メモリ１０５などに曲名、演奏者名などの音楽データに付随データするデータの記憶がある場合には、その付随データについても伝送させるようにしてもよい。
【００２５】
次に、図２に示した構成の携帯電話端末装置１００を複数台使用して、図１に示した構成でＰｏＣサービスを実行する際の各携帯電話端末装置での処理例を、図３のフローチャートを参照して説明する。まず、携帯電話端末装置でＰｏＣの通信を開始させるために、ＰｏＣサーバにアクセスして登録作業を行い（ステップＳ１１）、接続先の相手となる端末装置が登録されるまで待機する（ステップＳ１２）。グループを構成する各端末装置がサーバに登録されると、ＰｏＣサーバを経由して他の携帯電話端末装置へセッションの招待ができ、その招待を受け取った携帯電話端末装置から、通信に応じる応答があることで、セッションが開始される（ステップＳ１３）。
【００２６】
セッションが開始されると、そのセッションが終了したか否か判断し（ステップＳ１４）、終了を判断した場合には終了処理を行う（ステップＳ１５）。セッションが継続していると判断した場合には、現在の状態として、発言権がフリーであるか否か判断する（ステップＳ１６）。発言権がフリーでない場合には、グループ内の他の端末装置からサーバを経由して送信される音声データ又は音楽データを受信して出力させ（ステップＳ１７）、１つの発言権での出力処理が終わると、発言権がフリーであるか否かのステップＳ１６の判断に戻る。
【００２７】
そして、ステップＳ１６の判断で、発言権がフリーであると判断した場合には、当該端末装置のプッシュボタン１０６ａの操作などに基づいて発言権の取得を行う状態であるか否か判断する（ステップＳ１８）。発言権を取得しない場合には、発言権がフリーであるか否かのステップＳ１６の判断に戻る。
【００２８】
ステップＳ１８で発言権を取得する場合には、その取得した発言権でサーバに送るデータが音声データであるか、或いは音楽データであるか判断する（ステップＳ１９）。本例の場合には、プッシュボタン１０６ａが押されただけの場合には、ステップＳ２０に移って、音声データを送る処理を行うようにしてあり、プッシュボタン１０６ａが押された後に、別の操作がある場合には、ステップＳ２１に移って、音楽データを送る処理を行うようにしてある。
【００２９】
ステップＳ２０での音声データを送る処理を行う際には、予め決められた時間（例えば３０秒）を最大時間として、音声データを、サーバを経由してグループ内の他の携帯電話端末装置に配信し、その１単位の配信が終わると、発言権を解放して、ステップＳ１４の処理に戻る。
【００３０】
ステップＳ２１での音楽データを送る処理を行う際には、音楽データを選択する操作をユーザに実行させて、その操作で選択された音楽データを、サーバを経由してグループ内の他の携帯電話端末装置に配信する。このときには、例えば１曲分の音楽データの配信を行う。あるいは、予め決めた時間だけ音楽データの配信を行う。そして、音楽データの配信が終了したか否か判断し（ステップＳ２２）、終了したと判断した場合には、ステップＳ２０で発言権の解放を行い、ステップＳ１４の処理に戻る。
【００３１】
次に、図４の接続シーケンス図を参照して、２台の携帯電話端末装置１００ａ，１００ｂと、ＰｏＣサーバとの通信状態の例について説明する。３台以上でグループが構成される場合には、携帯電話端末装置１００ｂと同じ処理を行う端末装置が増えることになる。図４では、登録処理Ａとセッションの開始Ｂと発言権の獲得Ｃと配信の開始Ｄに分けて示してある。まず登録処理Ａについて説明すると、携帯電話端末装置１００ａからＰｏＣサーバに登録(registration)があり（ステップＳ３１）、他の携帯電話端末装置１００ｂからもＰｏＣサーバに登録があるとする（ステップＳ３３）。それぞれの登録に対しては、登録を承諾するメッセージが返送される（ステップＳ３２、Ｓ３４）。
【００３２】
セッションの開始Ｂとしては、携帯電話端末装置１００ａからＰｏＣサーバに接続要求(invite)があると（ステップＳ３５）、その接続要求を他の携帯電話端末装置１００ｂに伝え（ステップＳ３６）、携帯電話端末装置１００ｂからの承諾を、携帯電話端末装置１００ｂを経由して携帯電話端末装置１００ａに伝える（ステップＳ３７、Ｓ３８）。
【００３３】
発言権の獲得Ｃとしては、発言権がフリーの状態で、例えば携帯電話端末装置１００ａから発言リクエスト(floor request)がＰｏＣサーバに送られると（ステップＳ３９）、その発言リクエストの承諾(floor grant)が返送されて（ステップＳ４０）、発言権が獲得されて、音声データ又は音楽データの送信ができる状態となる。
【００３４】
発言権を獲得した後の配信の開始Ｄとしては、ここでは音楽配信を行う場合を例としてあり、発言権を獲得した携帯電話端末装置１００ａから、音楽データをＰｏＣサーバに送り（ステップＳ４１）、ＰｏＣサーバからグループ内の他の全ての端末装置に対して、音楽データを直ちに配信する処理が行われる（ステップＳ４２）。ＰｏＣサーバに音楽データが伝送された際に、曲名などの付随データについても伝送された場合には、その付随データについても各端末装置に配信させる。
【００３５】
配信を受けた端末装置では、その端末装置が備える音楽再生用のスピーカ１２４（図２）から音楽を出力（再生）させる。或いは、図２に示したリモートコントロール装置２００側の外部イヤホン２０３から出力させる。このとき、ＰｏＣサーバから受信した音楽データについては、内蔵メモリ１０５や外部記憶装置１２２に記憶させることができないように制限して、著作権保護などを行うようにしてもよい。あるいは、内蔵メモリ１０５にだけ記憶できるようにして、外部記憶装置１２２への記憶については制限させてもよい。内蔵メモリ１０５又は外部記憶装置１２２に記憶できるようにした場合でも、その音楽データを再生できる回数を制限させるようにしてもよい。
【００３６】
なお、図３のフローチャートでは、音楽データの配信については、１曲分などの比較的長い時間の音楽データの配信をすることを想定したが、音楽データの配信時にも、音声データ配信時と同様に最大の配信時間を設定して、発言権が長い時間独占されないようにしてもよい。即ち、例えば図５のフローチャートに示すように、ステップＳ２１での音楽データの配信を開始させた後に、音楽データの配信が終了したか否か判断して（ステップＳ２２）、終了してないと判断した場合には、配信開始から一定時間経過したか否か判断し（ステップＳ２３）、その判断で予め決めた一定時間（例えば１分など）が経過していないと判断した場合には、ステップＳ２２の判断に戻るようにし、一定時間が経過したと判断した場合には、ステップＳ２０で発言権の解放を行い、ステップＳ１４の処理に戻るようにする。図５において、その他の処理については、図３のフローチャートと同様に処理する。
【００３７】
このようにして制限させることで、音楽配信を行っている端末装置が、長時間発言権を独占するようなことを防止できる。なお、音楽データ配信の時間を制限する場合には、音声データ配信時の最大時間よりは長い時間（例えば音声配信時に３０秒となっているのを音楽配信時に１分から数分程度とする等）を設定するようにして、それなりの長さの音楽が再生されるようにしてもよい。
【００３８】
或いは、音声データの配信を開始した後は、音楽データの配信を続けて、各端末装置で音楽再生を行った状態を続けた上で、発言権を他の端末装置が取得できるようにして、その取得があった際に、音楽配信を停止して、発言権を要求のあった端末装置に移す処理を行うようにしてもよい。
【００３９】
また、音楽データをＰｏＣサーバを経由して配信する場合において、送信元の端末装置に、その音楽データについての曲名、演奏者名、アルバム名などの付随データが記憶されている際には、その付随データについてもＰｏＣサーバを経由して同時に配信するようにしてもよい。このように曲名などの付随データが配信された場合には、その付随データに基づいて、曲名などを端末装置の表示部１０７に表示させるようにしてもよい。
【００４０】
或いは、端末装置で受信した曲名などの付随データについては、受信した側の端末装置内のメモリ１０５に記憶させて、その記憶された曲名データなどを使用して、該当する曲の１曲分の音楽データの購入時などに使用してもよい。即ち、携帯電話端末装置でＰｏＣサーバを経由して配信を受けて試聴した曲を、そのユーザが気に入った場合に、音楽データの販売サービス（ダウンロードサービス）を行っているインターネット上のサイトなどにアクセスして、端末装置に記憶された曲名データを使用して、該当する曲を検索して、探し出した曲のダウンロードを行うようにしてもよい。
【００４１】
なお、上述した実施の形態では、携帯電話端末装置を使用して、ＰｏＣサービスと称されるシステムで、配信を行う例について説明したが、その他の同様なサーバを介した音声データ配信を１台又は複数台の無線通信端末装置に対して行うシステムにも適用可能であることは勿論である。
【図面の簡単な説明】
【００４２】
【図１】本発明の一実施の形態によるシステム構成例を示す説明図である。
【図２】本発明の一実施の形態による端末装置の構成例を示すブロック図である。
【図３】本発明の一実施の形態によるＰｏＣ通信処理例を示すフローチャートである。
【図４】本発明の一実施の形態による通信処理例を示す接続シーケンス図である。
【図５】本発明の他の実施の形態によるＰｏＣ通信処理例を示すフローチャートである。
【符号の説明】
【００４３】
１１…無線電話ネットワーク、１２…ＰｏＣサーバ、１００，１００ａ，１００ｂ，１００ｃ，１００ｄ…携帯電話端末装置、１０１…アンテナ、１０２…通信回路、１０３…マイクロフォン、１０４…スピーカ、１０５…メモリ、１０６…操作部、１０６ａ…プッシュボタン、１０７…表示部、１２０…制御部、１２１…外部装置接続部、１２２…外部記憶装置、１２３…音楽データ制御部、１２４…音楽用スピーカ、１３０…リモートコントローラ接続端子、１５０…制御ライン、１６０…データライン、２００…リモートコントロール装置、２０１…接続端子、２０２…外部マイクロフォン、２０３…外部イヤホン、２０４…リモートコントローラ制御部、２０５…外部操作部
【図１】
2007134989.tif 000003
【図２】
2007134989.tif 000004
【図３】
2007134989.tif 000005
【図４】
2007134989.tif 000006
【図５】
2007134989.tif 000007